(57)【要約】【課題】軸材内側に補強材が設けられた同一構造の補強材入り軸材を用いてなる２つの部材をその端面同士で接合する際に、両部材が安定していない状態でも少ない部品点数でかつ十分な強度で効率的に両者を接合した構造体を提供する。【解決手段】アルミダイキャスト製の螺合雌部２３ａに案内され回転する螺合雄部２５ａの回転駆動力によって嵌合雄部２５ｂを嵌合雌部２３ｂ内を直進させて嵌合させるという簡単な作業だけで、コーナーブロック２１と接合端子２２を容易に連結することができ、また、連結作業（組み立て作業）と同様に、接合端子２２とコーナーブロック２１との解体作業も容易に行うことができる。【選択図】図４
2010096260.tif 000002
【特許請求の範囲】
【請求項１】
コーナーブロックと補強材入り軸材を接合し、立体格子を構成する構造体において、コーナーブロックに形成された凹部の接合端子取り付け部に凹部よりも小なる径の接合端子が固定され、固定された接合端子とコーナーブロック凹部側面間に形成された間隙に補強材を貫入して接合端子と補強材とを嵌合することによって補強材入り軸材をコーナーブロックに固定することを特徴とする構造体。
【請求項２】
前記補強材入り軸材は補強材を軸材に内接することによって固定してなり、２以上の前記補強材入り軸材を多面体からなるコーナーブロックと連結してなる請求項１に記載の構造体。
【請求項３】
長尺体である軸材と、その軸材に内接することによって固定される補強材とよりなる補強材入り軸材を用い、多面体からなるコーナーブロックと、前記コーナーブロックに対して着脱自在に形成された接合端子と、を備えた結合構造部によって、２以上の前記補強材入り軸材を連結してなる構造体であって、
前記接合端子は、前記補強材入り軸材に連結される補強材入り軸材連結部と、螺合溝が設けられた螺合連結部と、を備え、その螺合連結部は螺合雄部と、嵌合雄部と、を同一軸上に有し、
前記多面体からなるコーナーブロックは、外表面のうち少なくとも一面に、前記螺合連結部との螺合により前記接合端子が連結されるコーナーブロック凹部を備え、
そのコーナーブロック凹部は螺合雌部と、嵌合雌部と、を同一軸上に有し、
螺合連結部の螺合雄部とコーナーブロック凹部の螺合雌部とが螺合することによって生じる軸方向推進力によって螺合連結部の嵌合雄部をコーナーブロック凹部の嵌合雌部に嵌合させて位置決め連結することを特徴とする構造体。
【請求項４】
前記軸材は、セルロース系微粉粒と樹脂とを混合し、かつ、溶融させて成形してなる角筒状の長尺体であり、前記補強材がその軸材に内接することによって固定される金属製素材よりなる請求項１〜請求項３のいずれか一に記載の構造体。
【請求項５】
前記補強材入り軸材連結部を前記補強材に嵌合して前記補強材入り軸材に連結する請求項３又は請求項４に記載の構造体。
【請求項６】
前記コーナーブロック凹部を覆うカバーを備える請求項１〜請求項５のいずれか一に記載の構造体。
【発明の詳細な説明】
【技術分野】
【０００１】
本発明は、コーナーブロックと補強材入り軸材を接合し、立体格子を構成する構造体に関し、特にセルロース系微粉粒と樹脂とを混合し、かつ、溶融させて成形してなる角筒状の長尺体である軸材と、その軸材に内接することによって固定される金属製素材よりなる補強材とよりなる２以上の補強材入り軸材を連結してなる構造体に関する。
【背景技術】
【０００２】
従来は、２つの構造材を接合してなる構造体では、例えば、特許文献１にある様に、一方の接合面にほぞを設け、他方の接合面にほぞが嵌るほぞ穴を設けて、ほぞをほぞ穴に嵌め込むことで両者を接合していた。しかし、特許文献１の接合構造では、ほぞ穴に対するほぞの嵌め込む方向が正確に一致するように、両者を支持しながら接合作業を行う必要があり、接合の際に両者を安定させていないと、両者の接合面同士を密着させた状態で確実に接合することは困難であるという問題があった。
【０００３】
このような問題に関し、本出願人は、座部及び脚部のそれぞれの内部に、端面側から挿入されて係合される係合部と、座部及び脚部の外面に当接される当接部と、係合部と当接部とを引き寄せ可能に連結したボルト部とを備える接合金物を介して座部と脚部とを突き合わせて、接合金物を介して端面同士が密着した状態で接合される部材の接合構造を特許文献２において提案した。
【０００４】
しかし、特許文献２で提案された部材の接合構造では座部及び脚部の接合強度を保証できるとしても、例えば菜園に構築される大がかりな構造体については接合構造部分が頭上に位置する場合もあり、さらに大なる強度及び良好な外観が構造的に保証される必要があった。
【０００５】
そこで本出願人は先の特許出願である特願２００７−１１０７１１において軸材内側に補強材が設けられた同一構造の補強材入り軸材を用いてなる２つの部材をその端面同士で接合する際に、両部材が安定していない状態でも十分な強度で効率的に両者を接合することができる部材の接合構造及び部材の接合方法を提案した。
【特許文献１】特許第２７２９８９３号公報
【特許文献２】特開２００４−１２５１１８号公報
【発明の開示】
【発明が解決しようとする課題】
【０００６】
しかし、本出願人の先の特許出願である特願２００７−１１０７１１の部材の接合構造及び部材の接合方法は、端部ブラケットを柱頭接合プレートが取り付けられた一の部材の補強材の側面と柱頭接合プレート間に挿入し、ボルト軸部が補強材側面の貫通孔と端部ブラケットの連通溝部とを連通して端部ブラケットが一の部材の補強材の側面と柱頭接合プレート間に挟持されて、一の部材の端部が他の部材の端面部に、一の部材と他の部材とが直交した状態で接合されるものであり、端部ブラケットをボルトで締結するという構成を採用するため部品点数が多いという問題があった。また組み付け作業のより一層の効率化の検討を行う必要があった。
【０００７】
本発明は以上の従来技術における問題に鑑み、軸材内側に補強材が設けられた同一構造の補強材入り軸材を用いてなる２つの部材をその端面同士で接合する際に、両部材が安定していない状態でも少ない部品点数でかつ十分な強度で効率的に両者を接合することができる構造体を提供することを目的とする。
【課題を解決するための手段】
【０００８】
すなわち本発明の構造体は、コーナーブロックと補強材入り軸材を接合し、立体格子を構成する構造体において、コーナーブロックに形成された凹部の接合端子取り付け部に凹部よりも小なる径の接合端子が固定され、固定された接合端子とコーナーブロック凹部側面間に形成された間隙に補強材を貫入して接合端子と補強材とを嵌合することによって補強材入り軸材をコーナーブロックに固定することを特徴とする。
【０００９】
前記補強材入り軸材は補強材を軸材に内接することによって固定してなり、２以上の前記補強材入り軸材を多面体からなるコーナーブロックと連結してなる構造体を構成することができる。
【００１０】
また本発明の構造体は、長尺体である軸材と、その軸材に内接することによって固定される補強材とよりなる補強材入り軸材を用い、多面体からなるコーナーブロックと、前記コーナーブロックに対して着脱自在に形成された接合端子と、を備えた結合構造部によって、２以上の前記補強材入り軸材を連結してなる構造体であって、前記接合端子は、前記補強材入り軸材に連結される補強材入り軸材連結部と、螺合溝が設けられた螺合連結部と、を備え、その螺合連結部は螺合雄部と、嵌合雄部と、を同一軸上に有し、前記多面体からなるコーナーブロックは、外表面のうち少なくとも一面に、前記螺合連結部との螺合により前記接合端子が連結されるコーナーブロック凹部を備え、そのコーナーブロック凹部は螺合雌部と、嵌合雌部と、を同一軸上に有し、螺合連結部の螺合雄部とコーナーブロック凹部の螺合雌部とが螺合することによって生じる軸方向推進力によって螺合連結部の嵌合雄部をコーナーブロック凹部の嵌合雌部に嵌合させて位置決め連結することを特徴とする。
【００１１】
前記軸材は、セルロース系微粉粒と樹脂とを混合し、かつ、溶融させて成形してなる角筒状の長尺体であり、前記補強材がその軸材に内接することによって固定される金属製素材よりなる様にしてもよい。
【００１２】
前記補強材入り軸材連結部は、前記補強材に嵌合されることで前記補強材入り軸材に連結されるようにすることができる。
【００１３】
前記コーナーブロック凹部を覆うカバーを備えてもよい。
【００１４】
このようにカバーを設けることで、接合端子が連結されていないコーナーブロック凹部が外部に露出するのを防止でき、構造体の外観上の美観が損なわれることを防止できる。また、このようにカバーを設けることで、構造体を外部で使用する場合に、コーナーブロックの内部に水やホコリなどの異物が溜まることを防止できる。
【発明の効果】
【００１５】
本発明によれば、軸材内側に補強材が設けられた同一構造の補強材入り軸材を用いてなる２つの部材をその端面同士で接合する際に、両部材が安定していない状態でも少ない部品点数でかつ十分な強度で効率的に両者を接合した構造体を構成することができる。
【発明を実施するための最良の形態】
【００１６】
［実施の形態１］
以下、図を参照して本発明を実施するための最良の形態を詳細に説明する。
図１には、部材の接合構造を有する本発明に係る構造体である菜園構造体１を示す。
菜園構造体１は、主として押出材からなる部材を用いて築造され、略矩形板状の平面部を備えて延在する中空部を有する底盤部１１と、底盤部１１の四隅部から鉛直上方に延在して取りつけられた柱１２，１２とを有する。
また、柱１２，１２の上端部間には横梁１３，１３が差し渡され、横梁１３，１３の各両端部が柱１２の上端部と接合構造部２を介して接合される。
【００１７】
また、横梁１３，１３の上面間に差し渡す態様で横梁１３，１３と交差する方向に定間隔に複数の縦梁１４，１４・・・が差し渡され、その縦梁１４，１４・・・の端部は横梁１３，１３上面からさらに側方に延出して、底盤部１１の鉛直上方の空間に形成される略矩形状の領域よりも外方に突出される。さらにこれらの複数の縦梁１４，１４・・・の中には、他の縦梁１４，１４・・・よりもさらに延長されて外方に突出する縦梁１４ａ，１４ｂが設けられる。
一方、底盤部１１の外側において地盤から鉛直上方に延在する様に１対の柱１５，１５が地上に直接立設されており、この柱１５，１５の上端部と縦梁１４ａ，１４ｂの先端部とが接合構造部２を介して接合される。
【００１８】
平板状の底盤部１１は廃材樹脂を粉砕することによって得られた廃材樹脂粉砕物と、木質廃材を粉砕することによって得られた木質廃材粉砕粉と、木質廃材粉と廃材樹脂粉砕物との接着助剤としての無水マレイン酸と、顔料と、を混合し混合材料とし、この混合材料を溶融させて押出成形してなる押出材から形成されている。
【００１９】
廃材樹脂は、食品等の包装に用いられた後回収されたトレイ、食品コンテナ等のポリプロピレン包装部材や、ポリプロピレン包装部材を形成した際に出るポリプロピレンの端材を粉砕したものである。
木質廃材は、住宅等の建物を解体した際に排出される木質廃材や家具を解体した際に排出される木質廃材、建物建築中に排出される木材の端材、おが屑等を使用する。そして、木質廃材、廃材樹脂、無水マレイン酸、顔料は、押出材全体に対してそれぞれ１０〜６０ｗｔ％、３６〜８６ｗｔ％、２ｗｔ％以下、２ｗｔ％以下含まれている。
【００２０】
ここで、木質廃材を平板状部材全体に対して１０〜６０ｗｔ％含ませたのは、１０ｗｔ％未満では本物の木材により近い手触り等の風合いを出すことが難しく、また、６０ｗｔ％を越えると木質廃材が過多となって押出材の成形性が低下するためである。
また、廃材樹脂を平板状部材全体に対して３６〜８６ｗｔ％含ませたのは、３６ｗｔ％未満では、廃材の再利用率を向上させることが難しく、８６ｗｔ％を越えると溶融しづらい廃材樹脂を多く含むので押出材の成形性が低下するためである。さらに、無水マレイン酸および顔料を押出材全体に対して２ｗｔ％以下含ませたのは、押出材の成形性が低下するのを防ぐためである。
【００２１】
柱１２、横梁１３，１３及び縦梁１４，１４・・・には図２（ａ）（ｂ）に示す補強材入り軸材１６が用いられる。
補強材入り軸材１６は、角筒状の長尺体である軸材１６１と、その軸材１６１の内側に挿通される長尺体の補強材１６２とを備えている。
軸材１６１は、本実施の形態では外側断面形状が正方形にされ、また内側断面形状が外側断面形状と相似形小なる正方形にされてなる。
【００２２】
軸材１６１は、セルロース系微粉粒と樹脂とを混合し、かつ、溶融させて成形してなるものである。セルロース系微粉粒は、例えば、住宅等の建物を解体した際に排出される木質廃材、建物建築中に排出される端材、おが屑等の木質廃材を周知の粉砕機により粉砕することによって得られる木粉や、木材、バカス、稲藁等の天然木材を粉砕することによって得られる木粉が挙げられる。
【００２３】
樹脂は、例えば、食品等の包装に用いられた後回収されたトレー、食品コンテナ等の包装部材を周知の粉砕機により粉砕することによって得られる樹脂や、天然木材から得られる樹脂等が挙げられる。すなわち、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等である。そして、セルロース系微粉粒と樹脂とを均一に混合し、混合材料としたうえで、この混合材料を押出成形機で加熱溶融させて押出成形することによって、軸材１６１が製造されている。なお、このようにして得られた軸材１６１の表面は、例えば、サンディングペーパー等で木目模様（図示しない）を施したり、塗装を施すことによって仕上げられている。
【００２４】
補強材１６２は、金属製素材例えばアルミ合金よりなり、その外側面１６３の断面形状が正八角形とされ、またその内側部１６４の断面形状が円周とされてなり、軸材１６１内側に収納される。その様に軸材１６１内側に補強材１６２が挿通された状態で、補強材１６２の四方向の外側面１６３が軸材１６１の内側４側面に当接し、補強材１６２の他の四方向の外側面１６３が軸材１６１の内側４隅に対向する態様で、補強材１６２は軸材１６１内側に固定される。  
【００２５】
次に、図１に示す本発明の実施の形態の構造体である菜園構造体１の接合構造部２における結合構造部２０について、図３〜図１３を参照して説明する。
接合構造部２は、柱１２，１２及び横梁１３，１３及び縦梁１４，１４のうちの任意の二の部材の接合のいずれについても適用され、図１に示す菜園構造体１では横梁１３，１３の各両端部が柱１２の上端部と接合構造部２を介して接合され、柱１５，１５の上端部と縦梁１４ａ，１４ｂの先端部とが接合構造部２を介して接合される。
【００２６】
結合構造部２０は、正六面体（正立方体）からなるアルミダイキャスト製品のコーナーブロック２１と、コーナーブロック２１に対して着脱自在に形成されたアクリル樹脂製の接合端子２２と、を備えて構成されている。
図３〜図５に示すように結合構造部２０の比較的硬質の樹脂材料で形成されたコーナーブロック２１の内部は中空にされて軽量化と材料費の軽減が図られている。このコーナーブロック２１は六面体を形成する各外側面にコーナーブロック凹部２３を備える。コーナーブロック凹部２３に連続して内側方に形成された螺合雌部２３ａは接合端子２２の取り付け部を構成する。
【００２７】
次に、結合構造部２０に備えられる接合端子２２について説明する。
接合端子２２は、略円筒形状に形成されており、前記コーナーブロック２１に対して着脱自在にされてなる。すなわち接合端子２２は、補強材入り軸材１６に連結するための補強材入り軸材連結部２４と、螺合溝が設けられた螺合連結部２５と、を備え、その螺合連結部２５はコーナーブロック凹部２３の螺合雌部２３ａの螺合溝に螺合可能にされてなる。
【００２８】
図６、図７に示すように接合端子２２の補強材入り軸材連結部２４の外径δ１はコーナーブロック凹部２３の内側径δ２よりも小なる径とされ、固定された接合端子２２とコーナーブロック凹部２３内側面間に形成される間隙δに補強材１６２を貫入した状態で接合端子２２と補強材１６２とを嵌合することによって補強材入り軸材１６をコーナーブロック２１に固定する。
【００２９】
以上の様に本実施の形態の構造体ではコーナーブロック２１に接合端子２２をコーナーブロック２１表面より一段奥に入ったコーナーブロック凹部２３にねじ込んで固定され、取り付けられた接合端子２２とコーナーブロック２１との間には補強材１６２が貫入する溝δが形成され、補強材１６２が端部より露出する状態で組合わされた補強材入り軸材１６は接合端子２２と補強材１６２が嵌合することで固定される。
【００３０】
なお、図８〜図１１に示すように結合構造部２０のコーナーブロック２１において使用しないコーナーブロック凹部２３に、アルミダイキャスト製のカバー２６ａ若しくはカバー２６ｂを嵌合させることによって、構造体の美観が損なわれることを防止することができる。また、使用しないコーナーブロック凹部２３に対してカバー２６ａ若しくはカバー２６ｂを嵌合することで、コーナーブロック２１の内部に水が溜まることを防止できる。
【００３１】
カバー２６ａはコーナーブロック凹部２３に内接する円板状のカバー本体２６１と螺合雌部２３ａの螺合溝に螺合可能にされたカバー螺合部２６２とを一体にしてなる。
一方、カバー２６ｂはコーナーブロック２１の中空内部壁面に係止する係止部２６３を先端に有する脚部２６４と方形の板状でコーナーブロック凹部２３に嵌合するカバー本体２６５と、を一体にしてなる。
【００３２】
以上のように本発明の構造体では、コーナーブロック凹部２３にねじ込んで固定された接合端子２２とコーナーブロック２１との間に形成される溝に補強材１６２を貫入し、接合端子２２と補強材１６２が嵌合することで補強材入り軸材１６を固定する簡単な作業だけで、コーナーブロック２１と接合端子２２を容易に連結して補強材入り軸材１６を配置することができ、また、連結作業（組み立て作業）と同様に、補強材入り軸材１６の離脱作業及び接合端子２２とコーナーブロック２１との解体作業も容易に行うことができる。
【００３３】
しかも、コーナーブロック凹部２３にねじ込んで固定された接合端子２２とコーナーブロック２１との間に形成される溝に補強材１６２を貫入して連結されるため、高い水密性を確保して連結を行うことができる。
【００３４】
以上のようにして、コーナーブロック２１に、複数の接合端子２２を装着して、結合構造部２０に複数の柱１２、横梁１３，１３及び縦梁１４，１４・・・を装着することができる。
その際には結合構造部２０と補強材入り軸材１６とを組み付けた後に特には他の締結部材による締結作業を行うことなく、複数の柱１２、横梁１３，１３及び縦梁１４，１４・・・を自在に組み付けることができる。
【００３５】
なお、以上の実施の形態では補強材１６２を断面正方形の四角柱とした場合につき説明したが、これには限られず図１２に示すように補強材１６２を断面六角形の六角柱とすることもできる。
図１３（ａ）は、補強材１６２を断面正方形の四角柱とした場合におけるコーナーブロック２１、コーナーブロック凹部２３、接合端子２２、補強材１６２及び間隙δ相互の関係を示す。図１３（ｂ）は、補強材１６２を断面六角形の六角柱とした場合のコーナーブロック２１、コーナーブロック凹部２３、接合端子２２、補強材１６２及び間隙δ相互の関係を示す。図１３に示す様に何れの場合もコーナーブロック凹部２３にねじ込んで固定された接合端子２２とコーナーブロック２１との間に形成される溝に補強材１６２を貫入し、接合端子２２と補強材１６２とを嵌合させて接合することができる。
［実施の形態２］
次に図１４〜図１７を参照して菜園構造体１の結合構造部２０を構成する本発明の実施の形態２の構造体について説明する。
図１４、図１５に示すように、結合構造部２０を構成するコーナーブロック２１のコーナーブロック凹部２３は螺合雌部２３ａと、嵌合雌部２３ｂと、を同一軸上に有する。また接合端子２２は、補強材入り軸材１６に連結するための補強材入り軸材連結部２４と、螺合溝が設けられた螺合連結部２５と、を備え、その螺合連結部２５はコーナーブロック凹部２３の螺合雌部２３ａの螺合溝に螺合可能にされた螺合雄部２５ａと、嵌合雌部２３ｂと嵌合可能にされた嵌合雄部２５ｂと、を同一軸上に有する。
【００３６】
以上の結合構造部２０においてコーナーブロック２１に対して接合端子２２を精度良く位置決めして接合するメカニズムについて以下に説明する。
（１）コーナーブロック２１のコーナーブロック凹部２３の開口部から、接合端子２２の螺合連結部２５の嵌合雄部２５ｂを挿入する。
（２）接合端子２２の螺合連結部２５の螺合雄部２５ａは、コーナーブロック凹部２３の螺合雌部２３ａの螺合溝に案内されて回転することによって直進力を生じる。
（３）螺合雄部２５ａの直進方向に螺合雄部２５ａと連続して形成された嵌合雄部２５ｂは、螺合雄部２５ａの回転駆動力によってコーナーブロック凹部２３の嵌合雌部２３ｂに嵌合する。
（４）嵌合雄部２５ｂが嵌合雌部２３ｂに嵌合することによって、コーナーブロック２１と接合端子２２の位置合せが行われ、同時に接合端子２２の螺合雄部２５ａは、コーナーブロック凹部２３の螺合雌部２３ａに螺合して、コーナーブロック２１に対する接合端子２２の接合が行われる。
【００３７】
嵌合雄部２５ｂの外径と、嵌合雌部２３ｂの内径とは略同一であるため、嵌合雄部２５ｂは、嵌合雌部２３ｂと高精度に嵌合される。つまり、嵌合雄部２５ｂと、嵌合雌部２３ｂとのクリアランスは非常に小さい。しかし、この場合でも、アクリル樹脂製の嵌合雄部２５ｂと一体に形成された螺合雄部２５ａは、アルミダイキャスト製の螺合雌部２３ａに案内され回転することができるため、螺合雄部２５ａの回転駆動力によって嵌合雄部２５ｂは、嵌合雌部２３ｂ内を直進して嵌合する。
【００３８】
なお、結合構造部２０のコーナーブロック２１において使用しないコーナーブロック凹部２３に、アルミダイキャスト製のカバー２６を嵌合させることによって、構造体の美観が損なわれることを防止することができる点は前述の実施の形態１と同様である。
【００３９】
以上のように本発明の構造体では、アルミダイキャスト製の螺合雌部２３ａに案内され回転する螺合雄部２５ａの回転駆動力によって嵌合雄部２５ｂを嵌合雌部２３ｂ内を直進させて嵌合させるという簡単な作業だけで、コーナーブロック２１と接合端子２２を容易に連結することができ、また、連結作業（組み立て作業）と同様に、接合端子２２とコーナーブロック２１との解体作業も容易に行うことができる。
【００４０】
しかも、螺合雌部２３ａと螺合雄部２５ａとの螺合関係のみではなく、嵌合雄部２５ｂと嵌合雌部２３ｂとの嵌合関係によっても連結されるため、精度の良い位置決めによって高い水密性を確保して連結を行うことができる。
【００４１】
一方、柱１２、横梁１３，１３及び縦梁１４，１４・・・等の補強材入り軸材１６は接合端子２２に連結することによって結合構造部２０へ組み付けられる。その接合端子２２と補強材入り軸材１６の連結は、補強材入り軸材１６の補強材１６２の断面円周形状の内側部１６４に接合端子２２の補強材入り軸材連結部２４を嵌合することによって行う。また、補強材入り軸材１６の内側部１６４と接合端子２２の補強材入り軸材連結部２４を分離して、補強材入り軸材１６と結合構造部２０との分離も容易に行うことができる。
【００４２】
図１５（ｂ）は実施の形態２の他の態様の構造体のコーナーブロック２１を示す。
この実施の形態のコーナーブロック２１のコーナーブロック凹部２３は螺合雌部２３ａと、嵌合雌部２３ｂと、嵌合係止部２３ｃとを同一軸上に有する。
【００４３】
なお、本発明のコーナーブロック２１は以上の各実施の形態で示した正六面体に限られず、正四面体、正八面体、正十二面体、正二十面体などからなる多面体構造を採用することができる。このような構造のコーナーブロックを備える結合構造部を用いる場合には、複数の柱１２、横梁１３，１３及び縦梁１４，１４・・・を多様な方向に向けて組むことができるため、用途に応じた複雑な形状からなる構造体を構成することができる。
【図面の簡単な説明】
【００４４】
【図１】本発明の実施の形態１の構造体を用いて構成される菜園構造体の構成を示す図である。
【図２】図１の菜園構造体の柱と梁との構成を示す（ａ）正面図、（ｂ）斜視図、である。
【図３】本発明の実施の形態１の構造体の（ａ）分解断面図、（ｂ）組み合わせた状態の断面図、である。
【図４】本発明の実施の形態１の構造体の（ａ）分解斜視図、（ｂ）組み合わせた状態の斜視図、である。
【図５】本発明の実施の形態１の構造体の他の分解斜視図である。
【図６】本発明の実施の形態１の構造体の（ａ）他の分解断面図、（ｂ）組み合わせた状態の他の断面図、である。
【図７】本発明の実施の形態１の構造体の（ａ）他の分解斜視図、（ｂ）組み合わせた状態の他の斜視図、である。
【図８】本発明の実施の形態１の構造体の（ａ）別の分解断面図、（ｂ）組み合わせた状態の別の断面図、である。
【図９】本発明の実施の形態１の構造体の（ａ）また別の分解断面図、（ｂ）組み合わせた状態のまた別の断面図、である。
【図１０】本発明の実施の形態１の構造体の（ａ）また別の分解斜視図、（ｂ）組み合わせた状態のまた別の斜視図、である。
【図１１】本発明の実施の形態１の構造体のさらに別の分解斜視図である。
【図１２】本発明の実施の形態１の構造体の他の態様の（ａ）分解斜視図、（ｂ）組み合わせた状態の斜視図、である。
【図１３】本発明の実施の形態１の構造体の組み合わせた状態を示す（ａ）一の態様の断面模式図、（ｂ）他の態様の断面模式図である。
【図１４】本発明の実施の形態２の構造体の分解斜視図である。
【図１５】本発明の実施の形態２の構造体の（ａ）一の態様の断面図、（ｂ）他の態様の断面図である。
【図１６】本発明の実施の形態２の構造体を構成する（ａ）一部品の斜視図、（ｂ）同じく断面図、である。
【図１７】本発明の実施の形態２の構造体を用いて図１の菜園構造体の結合構造部において柱と梁とを組み付ける態様を示す分解斜視図である。
【符号の説明】
【００４５】
１・・・菜園構造体、１１・・・底盤部、１２・・・柱、１３・・・横梁、１４・・・縦梁、１６・・・補強材入り軸材、１６１・・・軸材、１６２・・・補強材、２・・・接合構造部、２１…コーナーブロック、２４・・・補強材入り軸材連結部、２０・・・結合構造部、２２・・・接合端子、２３・・・コーナーブロック凹部、２５・・・螺合連結部、２５ｂ・・・嵌合雄部、２５ａ・・・螺合雄部、２３ａ・・・螺合雌部、２６・・・カバー。
δ・・・間隙。
【図１】
2010096260.tif 000003
【図２】
2010096260.tif 000004
【図３】
2010096260.tif 000005
【図４】
2010096260.tif 000006
【図５】
2010096260.tif 000007
【図６】
2010096260.tif 000008
【図７】
2010096260.tif 000009
【図８】
2010096260.tif 000010
【図９】
2010096260.tif 000011
【図１０】
2010096260.tif 000012
【図１１】
2010096260.tif 000013
【図１２】
2010096260.tif 000014
【図１３】
2010096260.tif 000015
【図１４】
2010096260.tif 000016
【図１５】
2010096260.tif 000017
【図１６】
2010096260.tif 000018
【図１７】
2010096260.tif 000019